(57)【要約】      （修正有）【課題】空気の流れを機械化してつくり、その空気の流れを利用して回転する機械を回転させて、エネルギーを取り出すこと。【解決手段】回転機械Ａの中心軸Ｃに高圧側が、４ヵ所と、低圧側が、４ヵ所設置してあり、回転機械Ａの、翼板Ｅ、小翼板Ｅ″を、高圧側に於いては、回転機械Ａの、回転方向側へ圧っして、一方、低圧側に於いては、翼板Ｅ、小翼板Ｅ″を、吸引して、回転機械Ａの回転方向側に力が働いており、回転機械Ａの力量は、翼板Ｅ及び小翼板Ｅ″に、力が８ヵ所働いていて、１ヵ所に対する力量は、小規模であるが、８ヵ所に及んでいるので、その力量は大きな力量となって、回転機械Ａの回転力は、大きくなり、空気の流れを、つくっている回転送風機を回転させている電動モーターの力を、大きく上回るので、エネルギーを取り出すことができる。【選択図】図２
2012097731.tif 000002
【特許請求の範囲】
【請求項１】
回転送風式空気吸引送出装置は、固定台［Ｎ″］に、ベアリングカバーを取り付けて、ベアリングカバーには、ベアリングを設け回転軸を設置して、回転軸にはプーリーを設け、電動モーターに連結しているプーリーの回転によって、Ｖベルトを回転させ回転軸を［←］矢印方向へ回転させて、回転軸には、回転送風機を取り付けて回転送風機の外側には、固定枠を固定台に設置してなり、次に、固定枠に空気吸入口を設け、さらに高圧側流出口を設けて回転送風機の回転によって、空気吸引の力と、空気送出の力を利用して回転機械の翼板を吸引、及び、圧することをくりかえし空気エネルギーを、より大きく取り出し得るようにした回転送風式空気吸引送出装置。
【請求項２】
回転機械は、固定の中心軸にベアリングを介して円形側壁板２枚を設けて、側壁板の内周面には、翼板溝枠を設けて、翼板溝枠と、翼板溝枠の間には、翼板セットを設置してなり、翼板セットには、翼板を設けて、さらに、翼板に設置する小翼板と、翼板の延長を設け、翼板の内部には小翼板を、中心軸の外周面に衝当させる為の発条を設けて成るもので中心軸の外周面に軽く接しながら発条を設置して、翼板の出没運動には、固定の翼板誘導枠を、中心軸の外周面より定距離を設けて、設置し側壁板の外周面には、止め板を設け止め板には翼板の延長が出没する出没穴を設け、側壁板の外周面にネジ穴を設け止めネジで固定する。次に中心軸の外周面に高圧側流出口を、４カ所と低圧側流入口を４カ所を設置し、高圧側流出口に於いては回転送風機より、高圧流動管を流れてきた高圧空気が、回転体の内面の側壁板に設けた、翼板及び小翼板を圧し、一方低圧側流入口に於いては、高圧側より圧しされてきた翼板及び小翼板を、回転送風機の回転により、吸引されて回転機械の回転が行われる。さらに、回転機械の側壁板には、回転駆動するプーリーを設けて、発電機を回転させて発電する。
【発明の詳細な説明】
【技術分野】
【０００１】本発明は、大気の圧力を利用し回転力を取り出すので、主に電気エネルギーに関するものであると同時に船舶の動力源、その他の動力源になるものである。
【背景技術】
【０００２】従来風力を利用した発電装置として、風車装置が一般によく知られている。
【先行技術文献】
【０００３】本案は、（１１）特許出願公開番号  特開２０００−２９７７３８（１１）特許出願公開番号  特開２０００−２９７７３８（Ｐ２０００−２９７７３８）公開日平成１２年１０月２４日に提出の書類の不備が多く再度提出に至ったものである。
【発明の概要】
【発明の解決しようとする課題】
【０００４】本案は、風の無い日、曇りの日はもちろん空気があれば、どのような場所でも発電できるものである。
【課題を解決するための手段】
【０００５】本案は、上記の課題を解決するためのものであって、その目的とするところは、空気の流れを機械化してつくりその流れによって回転機械を回転させて、そして、その回転機械の回転力で、空気の流れをつくっている回転送風機を回転させ、［図示なし］さらに発電機を回転させて、さらに回転機械の回転は、続行されるという現実を完成させるものである。
【発明の効果】
【０００６】本案は、環境破壊を防ぎ、地球温暖化を、防止して１００％安全な文化を、提供するものである。
【図面の簡単な説明】
【０００７】
【図１】回転送風式空気吸引送出装置の縦断説明図である。
【図２】回転機械の平面図である。
【図３】回転機械の縦断説明図である。
【図４】翼板セットの説明図である。［図２に使用］。
【図５】［図１］に使用している回転送風機［Ｂ］を左方向から見た側面図である。
【図６】翼板セット図４と図１０に取り付けてある１図に使用の固定ネジ止め［ＳＶ′］の取り付け説明図である。
【図７】［１］は、翼板溝枠の取り付け説明図。［２］は、空気流動管の穴の位置を示す図であり、［３］は、空気流動管の取り付け説明図である。
【図８】［１］［２］は、翼板の延長が出没する時の出没穴の取り付け説明図である。
【図９】［図１１］の発条［Ｆ］が出没の時に正しく働くように丸棒［Ｅ３］の取り付説明図である。
【図１０】翼板セットの説明図である。［図１１に使用］
【図１１】回転機械の翼板セットの翼板の延長［Ｅ′］のかわりに、発条を取り付けた平面図である。
【図１２】［図１１］の回転機械の縦断説明図である。
【図１３】本案、空気の流れで発電する装置の大気の力で発電する縦断説明図である。
【図１４】回転機械の翼板の出没に発条を使用した本案の縦断説明図である。
【発明を実施するための形態】
【０００８】図面に基づいて本発明の実施の形態を［図１］について説明すると、回転送風機［Ｂ］は、固定台［Ｎ″］にベアリングカバー［Ｘ］を取り付けベアリングカバー［Ｘ］にはベアリング［Ｌ］と回転軸［Ｃ′］を設け、電動モーター［Ｄ］のプーリー［Ｍ］と回転軸［Ｃ′］のプーリ［Ｍ］にＶベルト［Ｍ′］を取り付けて、電動モーター［Ｄ］の動力で回転軸［Ｃ′］を回転させ、回転軸［Ｃ′］には、回転送風機［Ｂ］を設置して、さらに、固定枠［Ｎ′］を設け固定枠［Ｎ′］には、空気吸入口［Ｖ″］と高圧側流出口［Ｏ″］を設ける。
次に［図２］［図３］の回転機械［Ａ］は固定の中心軸［Ｃ］に回転体［Ａ］をベアリング［Ｌ］を介して枢着し、回転体［Ａ］の側壁板［Ｕ］の内面には、翼板溝枠［Ｑ］を取り付け翼板溝枠［Ｑ］と、翼板溝枠［Ｑ］の間に翼板セット［ＳＶ］を取り付けて、翼板セット［ＳＶ］には翼板［Ｅ］、小翼板［Ｅ″］、翼板の延長［Ｅ′］発条［Ｆ］を取り付け翼板［Ｅ］が自由に出没出来るよう中心軸［Ｃ］の外周面［Ｊ］から定距離を設けて、翼板誘導枠［Ｋ］を固定板［Ｎ］に固定する。一方、固定の翼板誘導枠［Ｋ］により、回転誘導されてきた翼板［Ｅ］を高圧側より低圧側方向へ回転するようにし中心軸［Ｃ］の外周面［Ｊ］には高圧側流出口［Ｏ″］と低圧側流入口［Ｐ″］を設けてなり、［図２］に於いて回転機械［Ａ］は、矢印方向に回転し、［図３］に於いて側壁板［Ｕ］には、プーリー［Ｍ］を取り付けさらに空気流動管［Ｐ′］を設けて翼板［Ｅ］の出没運動がスムーズになるように、これを［図７］の［３］図によって、述べると、空気流動管［Ｐ′］は、［３］図のように多少、斜めに設置し、翼板［Ｅ］が中心軸［Ｃ］の外周面［Ｊ］の高圧側流出口［Ｏ″］及び低圧側流入口［Ｐ″］を通過するときに多少早く空気流動管［Ｐ′］に空気が、出たり入ったりするように設置する事で、翼板［Ｅ］の出没が楽になり回転機械［Ａ］の回転は行われる。次に［図２］によって説明すると、中心軸［Ｃ］の外周面［Ｊ］に高圧側流出口［Ｏ″］を、４カ所、低圧側流入口［Ｐ″］を４カ所設けてなり、それぞれの高圧側の空気圧は翼板［Ｅ］及び小翼板［Ｅ″］を、高圧側流出口［Ｏ″］方向から低圧側流入口［Ｐ″］方向へ圧するようになり、一方、低圧側流入口［Ｐ″］に於いては、翼板［Ｅ］及び小翼板［Ｅ″］を高圧側流出口［Ｏ″］から、低圧側流入口［Ｐ″］方向へ吸引［引きつける］して、回転機械［Ａ］の回転力を、アップするものであり、より大きな回転力を取り出し得るようにするものである。又、小翼板［Ｅ″］は中心軸［Ｃ］の外周面に軽く密着しながら回転機械［Ａ］の回転が行われるように小翼板［Ｅ″］を圧している発条［Ｆ］を設置して、出来るだけ回転機械［Ａ］の回転が軽くなるように設置する。又［図２］の中心軸［Ｃ］の外周面に設けてある低圧側流入口［Ｐ″］を説明すると中心軸［Ｃ］の外周面［Ｊ］から［図３］の軸心低圧穴［Ｐ４］に貫通させて［図２］の低圧側［Ｐ］を、斜めに穴を開けて溝［Ｇ］を、設けて穴埋棒［Ｅ３′］を設置する。
次に、［図３］を説明すると回転機械［Ａ］の側壁板［Ｕ］にプーリ−［Ｍ］を取り付け、Ｖベルト［Ｍ″］の回転により発電機［ＳＸ］を回転させて発電させる。
次に［図４］を説明すると、［図２］の回転機械［Ａ］に使用の翼板セット［ＳＶ］の［１］図は、翼板セットの外枠になる組立図の側面図であり、側面にはネジ穴［Ｉ′］を設けて側壁板［Ｕ］に取り付けるものであり合計８カ所設ける。さらに［ＳＶ′］を取り付けて固定して溝［Ｇ］を設け、空気出入口［Ｈ］を設ける。［２］図は、翼板セット［ＳＶ］の平面図であり固定ネジ止め［ＳＶ′］を４カ所設け空気出入口［Ｈ］を、４カ所設けて溝［Ｇ］を設置している。［３］図は翼板［Ｅ］の側面図であり側面から見ると、中央を二つに割って、発条穴［Ｆ′］を設け、発条［Ｆ］を設置し、固定ネジ止め［ＳＶ′］で止め、さらに延長の翼板［Ｅ′］を設け、小翼板［Ｅ″］の入り込む切割溝［Ｇ″］を設け、［４］図は、翼板［Ｅ］の平面図であり、空気出入口［Ｈ］を設けて翼板の延長［Ｅ′］を設置し固定ネジ止め［ＳＶ′］を設ける。［５］図は、翼板セット［ＳＶ］の側面の完成図である。［６］図は小翼板［Ｅ″］の平面図であり、［図４］の、［１］図〜［５］図の空気出入口［Ｈ］は、中心軸［Ｃ］の高圧側流出口［Ｏ″］を通過する時は高圧空気が発条穴［Ｆ′］に入り込み、低圧側流入口［Ｐ″］を通過する時は、高圧空気が発条穴［Ｆ′］から流れ出る。次に［図５］を説明すると、回転軸［Ｃ′］に羽根板取り付け円形板［Ｅ４″］を取り付け、空気吸入口［Ｖ″］を設け、円形板［Ｅ４″］には羽根板［Ｅ４′］を設置する。
［図６］の説明、［図４］［図１０］の翼板セット［ＳＶ］を固定ネジ止め［ＳＶ′］で取り付けている説明図である。［図７］の説明、［１］図は、側壁板［Ｕ］に翼板溝枠［Ｑ］の取り付け説明図である。［２］図は側壁板［Ｕ］に翼板セット［ＳＶ］を取り付けて、空気出入穴［Ｖ′］の位置を示した図である。［３］図は、側壁板［Ｕ］に設けた空気出入穴［Ｖ′］の部分に取り付けた空気流動管［Ｐ′］の取り付け説明図である。尚［２］図と［３］図は［図２］の回転機械［Ａ］に使用するものである。［図８］の説明［１と２］図は、側壁板［Ｕ］の外周面に翼板の延長［Ｅ′］が出没する。出没穴［Ｉ３］の取り付け説明図である。［図９］の説明、［１と２］図は、［図１１］の回転機械［Ａ］に使用している発条［Ｆ］が、回転機械［Ａ］の回転時に発条が素直に働くようにした［発条の伸び縮み］丸棒［Ｅ３］の取り付け説明図である。［図１０］の説明［図１１］の回転機械［Ａ］に使用している翼板セット［ＳＶ］であり、翼板［Ｅ］の出没に関しての発条の取り付け説明図である。一方［１と２］図を説明すると、溝［Ｇ］を設けさらに空気出入口［Ｈ］を設けて翼板［Ｅ］及び翼板［Ｅ″］の出没をスムーズになるように設置する。［３］図は翼板セット［ＳＶ］の側面の完成図であり、［４］図は、翼板［Ｅ］の平面図［５］図は小翼板［Ｅ″］の平面図［６］図は、翼板［Ｅ］の側面図であり、小翼板［Ｅ″］に切割溝［Ｇ″］を設ける。［図１１］の説明、回転機械［Ａ］の平面図であり、翼板の出没に発条を使用している図である。［図１２］の説明、翼板［Ｅ］の出没に、発条を使用している回転機械［Ａ］の縦断説明図である。［図１３］の説明、本案空気の流れで発電をする装置の縦断説明図であり、回転送風機［Ｂ］を高速回転させて、回転機械［Ａ］の回転力を大きく取り出し得るものである。［図１４］の説明、回転機械［Ａ］の翼板［Ｅ］を出没させるのに発条［Ｆ］を使用して、さらにエアーコンプレッサ  ［Ｉ４］を使用して、空気を加圧して回転させている縦断説明図であり、大気圧の２倍、３倍位加圧するもので、回転機械［Ａ］の回転力を増大させるものである。
【実施例】
【０００９】本案が、どのように回転が行われるか、さらに詳しく説明すると、回転機械［Ａ］の中心軸［Ｃ］に高圧側流出口［Ｏ″］が４カ所、低圧側流入口［Ｐ″］が４カ所設けてあり、高圧側に於いて翼板［Ｅ］を、押圧し、低圧側に於いては翼板［Ｅ］を、吸引［引きつける］して翼板［Ｅ］を、回転機械［Ａ］の回転方向［矢印］へ力が働いて［押圧４カ所］［吸引４カ所］合計８カ所で、回転機械［Ａ］を回転させているものであり、本案、空気の流れで発電する装置は多大なエネルギーを生産するものである。
【符号の説明】
【０００１０】［Ａ］      回転機械・回転体
［Ｂ］      回転送風機
［Ｃ］      中心軸
［Ｃ′］    回転軸
［Ｄ］      電動モーター
［Ｅ］      翼  板
［Ｅ′］    翼板の延長
［Ｅ″］    小翼板
［Ｅ３］    丸  棒
［Ｅ３′］  穴埋棒
［Ｅ４］    仕切板
［Ｅ４′］  羽根板
［Ｅ４″］  羽根板取り付け円形板・円形板
［Ｆ］      発  条
［Ｆ′］    発条穴
［Ｇ］      溝
［Ｇ″］    切割溝
［Ｈ］      空気出入口
［Ｉ］      止めネジ
［Ｉ′］    ネジ穴
［Ｉ″］    止め板
［Ｉ３］    出没穴
［Ｉ３′］  発条取り付け穴
［Ｉ４］    エアーコンプレッサ
［Ｊ］      中心軸の外周面
［Ｋ］      翼板誘導枠
［Ｋ′］    翼板誘導枠の内周面
［Ｌ］      ベアリング
［Ｍ］      プーリー
［Ｍ′］    Ｖベルト
［Ｎ］      固定板
［Ｎ′］    固定枠
［Ｎ″］    固定台
［Ｏ］      高圧側流入口・高圧側
［Ｏ′］    高圧側流動管・高圧流動管
［Ｏ″］    高圧側流出口
［Ｏ４］    軸心高圧穴
［Ｐ］      低圧側流出口・低圧側
［Ｐ′］    空気流動管
［Ｐ″］    低圧側流入口
［Ｐ４］    軸心低圧穴
［Ｑ］      翼板溝枠
［Ｔ］      翼板溝枠の内周面
［Ｔ′］    翼板溝
［Ｕ］      側壁板
［Ｖ］      空気吸引装置
［Ｖ′］    空気出入穴
［Ｖ″］    空気吸入口
［Ｘ］      ベアリングカバー
［Ｙ］      固定空気流動管
［Ｚ］      回転軸ズレ止めリング
［←］      矢印＝回転方向・進む方向・空気の流れ方向
［ＳＶ］    翼板セット
［ＳＶ′］  固定ネジ止め
［ＳＸ］    発電機
【図１】
2012097731.tif 000003
【図２】
2012097731.tif 000004
【図３】
2012097731.tif 000005
【図４】
2012097731.tif 000006
【図５】
2012097731.tif 000007
【図６】
2012097731.tif 000008
【図７】
2012097731.tif 000009
【図８】
2012097731.tif 000010
【図９】
2012097731.tif 000011
【図１０】
2012097731.tif 000012
【図１１】
2012097731.tif 000013
【図１２】
2012097731.tif 000014
【図１３】
2012097731.tif 000015
【図１４】
2012097731.tif 000016